(57)【要約】【課題】前扉と筐体間の隙間のこじ開けを防止することができるゲーム機用蝶番を提供する。【解決手段】ゲーム機用蝶番は、筐体側に取り付けられる固定部材１と前扉側に取り付けられる可動部材１０と、を備え、固定部材１の下ピン７に可動部材１０の軸受孔１４を嵌合させ、固定部材１の上ピン３に可動部材１０の軸受部材１３を嵌合させて、可動部材１０を回動可能に支持する。固定取付板４の前縁部に横断面を略コ字状とした第１断面コ字状部５が設けられ、縦長の第１補強部材８が固定取付板４に固定される。第１補強部材８の前縁部に第２断面コ字状部８ｂが設けられる。ゲーム機の前扉を閉鎖したとき、固定取付板４の第１断面コ字状部５内に可動部本体１１の断面Ｌ形部１１ａが嵌入し、第１補強部材８の第２断面コ字状部８ｂの背面位置に第２補強部材１８の第３断面コ字状部１８ｂが進入する。【選択図】図１
2014113244.tif 000002
【特許請求の範囲】
【請求項１】
ゲーム機の筐体側に固定され、上部に下向きの上ピンを設け、下部に上向きの下ピンを設けた固定部材と、
該固定部材の上部の該上ピンに嵌合する軸受部材を上部に設け、下部の該下ピンに嵌合する軸受孔を下部に設けて、該固定部材に対し回動可能に支持され、ゲーム機の前扉側に取り付けられる可動部材と、
を備えたゲーム機用蝶番において、
該固定部材は、縦長の固定取付板の上部に上突出支持部を略水平に設け、該固定取付板の下部に下突出支持部を略水平に設けて形成され、該上突出支持部は平面を略コ字状とした形状に形成されるとともに前方に突出して設けられ、
該上ピン及び下ピンは、該固定取付板の位置より左側前方に位置するように、該上突出支持部の先端部に該上ピンが下向きに突設されるとともに、該下突出支持部に下ピンが上向きに突設され、
該固定取付板の前縁部に横断面を略コ字状とした第１断面コ字状部が該上突出支持部と下突出支持部間全体に設けられ、且つ該固定取付板の該上突出支持部と下突出支持部間全体に縦長の第１補強部材が固定され、該第１補強部材の前縁部には横断面を略コ字状とした第２断面コ字状部が設けられ、
該可動部材は、縦長の可動部本体の上部と下部に上突出板部と下突出板部を設け、該上突出板部と下突出板部間全体の内側に縦長の第２補強部材を固定して形成され、該可動部本体は横断面を略コ字状に曲折したチャンネル材状に形成されるとともに、該可動部本体の縁部には該上突出板部と下突出板部間全体に断面Ｌ形部が設けられ、該可動部本体の該第２補強部材の縁部には横断面を略コ字状とした第３断面コ字状部が該上突出板部と下突出板部間全体に設けられ、
該可動部材の該上突出板部上には、該固定部材の該上ピンを軸支する軸受部材が設けられるとともに、該軸受部材の軸受孔の一部を開閉する回動部材が回動可能に取り付けられ、該可動部材の下部に設けた該下突出板部上には、該固定部材の該下ピンを軸支する下軸受孔が設けられ、
該ゲーム機の該前扉を閉鎖したとき、該固定取付板の該第１断面コ字状部内に該可動部本体の断面Ｌ形部が嵌入し、該第１補強部材の該第２断面コ字状部の背面位置に該第２補強部材の第３断面コ字状部が進入することを特徴とするゲーム機用蝶番。
【請求項２】
前記固定取付板の前記第１断面コ字状部を前記上突出支持部より上方に延設して上突出コ字状部が形成され、前記可動部本体の前記断面Ｌ形部を前記上突出板部より上方に延設して上突出Ｌ形部が形成され、該前扉を閉鎖したとき、該固定取付板の該上突出コ字状部内に該可動部本体の該上突出Ｌ形部が嵌入することを特徴とする請求項１記載のゲーム機用蝶番。
【請求項３】
前記第１補強部材はその板状面を前記固定取付板の内側面に当接した状態で切り起しかしめ或いはリベットかしめにより固定され、前記第２補強部材は断面Ｌ形に曲折された基部を前記可動部本体の内側面に当接した状態で切り起しかしめ或いはリベットかしめにより固定されたことを特徴とする請求項１記載のゲーム機用蝶番。
【発明の詳細な説明】
【技術分野】
【０００１】
本発明は、スロットマシン、パチンコ機などのゲーム機の前扉（前枠）を筐体（本体枠）に対し開閉自在に取り付ける着脱式のゲーム機用蝶番に関する。
【背景技術】
【０００２】
パチンコ機などのゲーム機の前枠を本体枠に対し開閉自在に取り付ける蝶番として、上部に取り付けられる上部蝶番と下部に取り付けられる下部蝶番からなる構造の蝶番が、通常、使用されている。この蝶番は、上部蝶番、下部蝶番共に固定部と可動部とに分かれて形成され、ピンと軸受部の嵌合により可動部側が固定部側に対し回動可能に支持される。
【０００３】
つまり、上部蝶番の固定部は本体枠の上角部に固定され、上部蝶番の可動部は前枠の上角部に固定され、下部蝶番の固定部は本体枠の下角部に固定され、下部蝶番の可動部は前枠の下角部に固定される。そして、前枠を本体枠に対し取り付ける場合、前枠を持ってその下部蝶番の可動部を本体枠側の固定部にピンと軸受の嵌合により嵌め込み、同時に、その上部蝶番の可動部を本体枠側の固定部にピンと軸受の嵌合により嵌め込む。
【０００４】
このために、前枠を本体枠に対し装着する際には、上角部と下角部に設けた両蝶番のピンと軸受を上下同時に嵌め合わせて行なう必要があり、加えて、ゲーム機の前枠には、各種の機械機器、電気機器が数多く取り付けられており、前枠の重量は非常に重い。また、これらの前枠は、作業者の手作業により本体枠側に装着されるため、このような前枠の取り付け作業は、かなり難しく、労力を必要とし、ピンと軸受の嵌合が良好にできない場合には、蝶番や他の部材を傷つけてしまうなどの不具合があった。
【０００５】
そこで、本出願人は、従来、下記特許文献１などにおいて、パチンコ機等のゲーム機の前扉と筐体に、着脱可能に固定される蝶番の可動部材と固定部材を、容易に嵌合して組み付けることができるようにしたゲーム機用蝶番を提案している。
【０００６】
このゲーム機用蝶番は、ゲーム機の筐体側に固定される固定部材と、固定部材にピンと軸受部との嵌合により回動可能に支持されゲーム機の前扉側に取り付けられる可動部材と、を備え、固定部材の上部に設けた上突出支持部に上ピンが下向きに突設され、固定部材の下部に設けた下突出支持部に下ピンが上向きに突設され、可動部材の上部に設けた上突出板部上に固定部材側の上ピンを軸支する軸受部材が設けられる。さらに、軸受部材の軸受孔の一部を開閉する回動部材が回動可能に取り付けられ、可動部材の下部に設けた下突出板部上には固定部材側の下ピンを軸支する軸受孔が設けられ、可動部材側の下突出板部の軸受孔を固定部材側の下突出支持部上の下ピンに嵌合した状態で、固定部材側の上ピンを可動部材側の上突出板部の軸受部材の軸受孔に、回動部材を開口側に回動させながら嵌合させるように構成される。
【先行技術文献】
【特許文献】
【０００７】
【特許文献１】特開２００４−１６３５５号公報
【特許文献２】特開２００４−２６１５０７号公報
【発明の概要】
【発明が解決しようとする課題】
【０００８】
しかし、このゲーム機用蝶番は、パチンコ機等のゲーム機の前扉を筐体に対し開閉可能に組み付ける際、可動部材側の下突出板部の軸受孔を固定部材側の下突出支持部上の下ピンに嵌合した状態で、固定部材側の上ピンを可動部材側の上突出板部の軸受部材の軸受孔に、回動部材を開口側に回動させながら嵌合させることにより、蝶番の可動部材と固定部材を、容易に嵌合して組み付けることができるものの、その構造上、蝶番の上ピンと下ピンの平面位置が、前扉と筐体の角部より前に偏位して（オフセットして）位置しているため、前扉を閉鎖した状態において、蝶番側の角部間で隙間が生じやすい。そのために、上記ゲーム機用蝶番では、固定部材と可動部材の縦フレーム部に、当接壁部と閉鎖壁部を設け、前扉を閉鎖したとき、固定部材の当接壁部と可動部材の閉鎖壁部が当接する構造とし、隙間が生じないようにしている。
【０００９】
然るに、前扉の閉鎖時、固定部材の当接壁部と可動部材の閉鎖壁部を当接させて、蝶番側の隙間を最小にして前扉を閉鎖したとしても、ゲーム機の性質上、バールなどの不正器具により、その隙間を押し広げて不正にこじ開ける可能性があり、ゲーム機用蝶番では、その取付位置の前扉と筐体の角部間で、不正なこじ開けの防止対策が要望されていた。
【００１０】
一方、従来、上記特許文献２において、遊技機の筐体と前扉の隙間を覆うようにカバー体を移動可能に配設し、前扉の閉鎖時に、カバー体をソレノイドにより電気的に動かして、筐体と前扉の隙間を覆うように動作させる構造の遊技機が提案されている。しかし、この種のカバー体をソレノイドで電気的に動かす構造のものは、必然的に構造が複雑化するとともに大型化し、遊技機内の狭いスペースに配設することが難しく、しかも電気部品等の部品点数が増大し、製造コストが増大する課題があった。
【００１１】
本発明は、上記の点に鑑みてなされたもので、前扉と筐体間の隙間のこじ開けを防止することができるゲーム機用蝶番を提供することを目的とする。
【課題を解決するための手段】
【００１２】
上記目的を達成するために、本発明のゲーム機用蝶番は、
ゲーム機の筐体側に固定され、上部に下向きの上ピンを設け、下部に上向きの下ピンを設けた固定部材と、
該固定部材の上部の該上ピンに嵌合する軸受部材を上部に設け、下部の該下ピンに嵌合する軸受孔を下部に設けて、該固定部材に対し回動可能に支持され、ゲーム機の前扉側に取り付けられる可動部材と、
を備えたゲーム機用蝶番において、
該固定部材は、縦長の固定取付板の上部に上突出支持部を略水平に設け、該固定取付板の下部に下突出支持部を略水平に設けて形成され、該上突出支持部は平面を略コ字状とした形状に形成されるとともに前方に突出して設けられ、
該上ピン及び下ピンは、該固定取付板の位置より左側前方に位置するように、該上突出支持部の先端部に該上ピンが下向きに突設されるとともに、該下突出支持部に下ピンが上向きに突設され、
該固定取付板の前縁部に横断面を略コ字状とした第１断面コ字状部が該上突出支持部と下突出支持部間全体に設けられ、且つ該固定取付板の該上突出支持部と下突出支持部間全体に縦長の第１補強部材が固定され、該第１補強部材の前縁部には横断面を略コ字状とした第２断面コ字状部が設けられ、
該可動部材は、縦長の可動部本体の上部と下部に上突出板部と下突出板部を設け、該上突出板部と下突出板部間全体の内側に縦長の第２補強部材を固定して形成され、該可動部本体は横断面を略コ字状に曲折したチャンネル材状に形成されるとともに、該可動部本体の縁部には該上突出板部と下突出板部間全体に断面Ｌ形部が設けられ、該可動部本体の該第２補強部材の縁部には横断面を略コ字状とした第３断面コ字状部が該上突出板部と下突出板部間全体に設けられ、
該可動部材の該上突出板部上には、該固定部材の該上ピンを軸支する軸受部材が設けられるとともに、該軸受部材の軸受孔の一部を開閉する回動部材が回動可能に取り付けられ、該可動部材の下部に設けた該下突出板部上には、該固定部材の該下ピンを軸支する下軸受孔が設けられ、
該ゲーム機の該前扉を閉鎖したとき、該固定取付板の該第１断面コ字状部内に該可動部本体の断面Ｌ形部が嵌入し、該第１補強部材の該第２断面コ字状部の背面位置に該第２補強部材の第３断面コ字状部が進入することを特徴とする。
【００１３】
この発明によれば、筐体に対し前扉を閉鎖したとき、固定取付板の第１断面コ字状部内に可動部本体の断面Ｌ形部が嵌入することに加え、固定部材に固定した第１補強部材の第２断面コ字状部の背面位置に、可動部材に固定した第２補強部材の第３断面コ字状部が進入し、さらに、第１補強部材が固定部材を補強し第２補強部材が可動部材を補強しているので、筐体と前扉間の蝶番側の隙間をバール等な不正器具でこじ開けようとしても、蝶番の固定部材と可動部材間を強固に嵌合保持して、隙間を開くことができず、バールなどによる不正行為や不正解錠を防止することができる。
【００１４】
また、蝶番の補強部材として第１補強部材と第２補強部材を固定部材と可動部材に固定するので、すでに設計されている既存の蝶番に対しても、簡単に適用することができことができる。
【００１５】
ここで、上記ゲーム機用蝶番において、固定取付板の第１断面コ字状部が上記上突出支持部より上方に延設されて上突出コ字状部が形成され、上記可動部本体の上記断面Ｌ形部が上記上突出板部より上方に延設されて上突出Ｌ形部が形成され、該前扉を閉鎖したとき、該固定取付板の該上突出コ字状部内に該可動部本体の上突出Ｌ形部が嵌入するように構成することができる。
【００１６】
これによれば、閉鎖時、固定取付板の上突出コ字状部内に可動部本体の上突出Ｌ形部が嵌入するので、筐体と前扉の上部の隙間についても、強固に嵌合状態を保持し、バールなどによる不正行為を防止することができる。
【００１７】
また、上記第１補強部材はその板状面を前記固定取付板の内側面に当接した状態で切り起しかしめ或いはリベットかしめにより固定され、上記第２補強部材は断面Ｌ形に曲折された基部を前記可動部本体の内側面に当接した状態で切り起しかしめ或いはリベットかしめにより固定することができる。これによれば、溶接や溶着により固定する場合に比べ、少ない工数で第１補強部材及び第２補強部材を低コストで所定位置に強固に固定することができる。
【発明の効果】
【００１８】
本発明のゲーム機用蝶番によれば、筐体に対し前扉を閉鎖した状態で、筐体と前扉間の蝶番側の隙間から、バールなどの不正器具を差し込み、前扉をこじ開けようとする不正行為を防止することができる。
【図面の簡単な説明】
【００１９】
【図１】本発明の一実施形態を示すゲーム機用蝶番の斜視図である。
【図２】可動部材を開いた状態の同蝶番の斜視図である。
【図３】可動部材を開いた状態の同蝶番の右側面図である。
【図４】別の角度から見た同蝶番の斜視図である。
【図５】固定部材と可動部材を分解した状態の斜視図である。
【図６】固定部材の斜視図である。
【図７】可動部材の斜視図である。
【図８】固定部材の左側面図である。
【図９】可動部材の左側面図である。
【図１０】固定部材の上突出支持部と可動部材の上突出板部における、分解時の部分拡大斜視図である。
【図１１】固定部材の下突出支持部と可動部材の下突出板部における、分解時の部分拡大斜視図である。
【図１２】蝶番の閉鎖時の平面図（ａ）と開放時の平面図（ｂ）である。
【図１３】図６のXIII-XIII拡大断面図である。
【図１４】図７のXIV-XIV拡大断面図である。
【図１５】使用状態を示す蝶番閉鎖時の断面図である。
【図１６】使用状態を示す蝶番開放時の断面図である。
【発明を実施するための形態】
【００２０】
以下、本発明の実施の形態を図面に基づいて説明する。このゲーム機用蝶番は、スロットマシンなどのゲーム機の筐体２０側に固定される固定部材１とその前扉２１側に固定される可動部材１０とから構成され、図１，２に示すように、可動部材１０が上ピン３と下ピン７を軸に、固定部材１に対し回動して開閉される、脱着式の蝶番である。
【００２１】
固定部材１は、図６、８に示すように、板状の縦長の固定取付板４の上端に、上突出支持部２が略水平に形成され、固定取付板４の下端に下突出支持部６が略水平に形成され、上突出支持部２の先端の下面に上ピン３が下向きに突設され、下突出支持部６の延設部上に下ピン７が上向きに突設されて構成される。
【００２２】
図６、８に示す如く、固定部材１の上突出支持部２は鋼板を略コ字状に裁断しプレス成形して形成され、その先端に上ピン３を固定し、下突出支持部６は前方に延設部を設けて形成され、その延設部に下ピン７を固定し、これにより、上ピン３と下ピン７つまり蝶番の軸心位置を、筐体の前部左側面寄りに設定している。上ピン３と下ピン７の軸心位置は、縦長の固定取付板４の平面に沿った１本の軸線上に一致するようになっている。
【００２３】
なお、図５、６のように、下突出支持部６上の下ピン７の周囲には、合成樹脂製のスペーサ７ａが嵌着され、可動部材１０の下突出板部１６の底面が下突出支持部６の平面に直接接触することを回避し、回動摩擦抵抗を低減している。また、固定取付板４は、その上部である上突出支持部２近傍とその下部である下突出支持部６近傍の部分が幅広に形成され、充分な強度で上突出支持部２及び下突出支持部６を保持している。
【００２４】
さらに、固定取付板４の正面側の縁部には、横断面をコ字状に曲折した第１断面コ字状部５が、上突出支持部２と下突出支持部６間全体に、つまり上突出支持部２から下突出支持部６の全体にわたって縦方向に形成される。また、第１断面コ字状部５の上部は、上突出コ字状部５ａとして上突出支持部２の上方まで延設され、可動部材１０の閉鎖時に、第１断面コ字状部５及び上突出コ字状部５ａが、可動部材１０の可動部本体１１の断面Ｌ形部１１ａ及び上突出Ｌ形部１１ｂと嵌合し、固定部材１と可動部材１０間全長で隙間をなくし、蝶番を閉じることができるようになっている。
【００２５】
さらに、固定部材１の固定取付板４には、図５、６に示すように、縦長の第１補強部材８が縦方向に、上突出支持部２と下突出支持部６間の全体にわたり、リベットかしめ或いは切り起し部のかしめ加工により固定される。つまり、第１補強部材８は縦長の板状面を、固定取付板４の内側面に当接した状態で、リベットかしめなどで固定される。この第１補強部材８は、固定取付板４の強度を補強するとともに、閉鎖時の隙間をなくす構造となっている。第１補強部材８の補強部材本体８ａは、帯状の鋼板を曲折してその前縁部に第２断面コ字状部８ｂを形成している。すなわち、帯板状の補強部材本体８ａの前縁部には、横断面をコ字状に曲折した形状の第２断面コ字状部８ｂが形成され、その第２断面コ字状部８ｂを、固定取付板４の第１断面コ字状部５の隣接位置、つまり正面視で直ぐ右側の内側に位置して固定される。
【００２６】
一方、可動部材１０は、図５、図７、図９に示すように、横断面をコ字状としたチャンネル材状の可動部本体１１の上部に、上突出板部１２を水平状に設け、可動部本体１１の下端に下突出板部１６を水平状に設け、上突出板部１２上には軸受部材１３を固定し、下突出板部１６には下軸受孔１７を穿設して構成される。
【００２７】
上突出板部１２上に固定される軸受部材１３は、図１０に示すように、固定部材１側の上ピン３を嵌入させるために軸受孔１４を設けて形成され、軸受孔１４はその一部の側壁が切り欠かれ、その切欠き開口部から上ピン３を嵌めこみ、その状態で、回動部材１５により軸受孔１４の開口部を閉鎖する構造としている。回動部材１５の末端部にはレバー操作部１５ｄが設けられ、レバー操作部１５ｄを操作して回動部材１５を回動させれば、上ピン３を軸受孔１４から外すことができるようになっている。なお、チャンネル状の可動部本体１１の上部と下部は、中間部より幅広に形成され、上突出板部１２と下突出板部１６にかかる前扉の荷重を強固に保持するように、その部分の強度を増大させている。
【００２８】
また、可動部材１０は、上突出板部１２上に設けたストッパ１２ａは、可動部材１０の回動時に固定部材１の上突出支持部２に当接するまで回動可能とされる。つまり、可動部材１０を開いたとき、その最大開放角度でストッパ１２ａが上突出支持部２の内側に当接するようになっており、ストッパ１２ａは可動部材１０の回動可能な空間範囲を設定している。
【００２９】
可動部材１０における下軸受孔１７と軸受部材１３の軸受孔１４の軸心位置は、可動部本体１１の平面に沿った１本の軸線上に一致するように形成され、且つこの軸心位置つまり蝶番の軸位置は、可動部材１０の正面寄りで左側面寄りの角部に位置するように形成される。
【００３０】
チャンネル材形の可動部本体１１の縁部には、さらに断面Ｌ形部１１ａが縦方向に沿って形成され、可動部材１０の閉鎖時、可動部材１０の断面Ｌ形部１１ａが固定部材１の第１断面コ字状部５内に嵌入され、固定部材１と可動部材１０間に隙間が生じないようにするとともに、筐体と前扉の隙間にバールなどを差し込んでこじ開けられたとき、断面Ｌ形部１１ａが第１断面コ字状部５内で係止され、不正なこじ開けを防止するようになっている。
【００３１】
さらに、可動部本体１１の内側（チャンネル溝内）には、縦長の第２補強部材１８が上突出板部１２と下突出板部１６間全体にわたり固定されている。すなわち、第２補強部材１８は帯状の金属板を断面略Ｌ形に曲折して形成され、その補強部材本体１８ａの縁部には第３断面コ字状部１８ｂが縦方向に連続して形成される。第２補強部材１８は、断面Ｌ形に曲折されたその基部を、可動部本体１１の内側面に当接した状態で、切り起しかしめ或いはリベットかしめにより固定される。
【００３２】
第２補強部材１８を可動部本体１１の内側に、切り起し部のかしめ加工により固定する場合、可動部本体１１に複数の切り起し片を設け、第２補強部材１８にはその対応位置に矩形孔を設けておき、切り起し片を矩形孔に嵌入した状態で、切り起し片をかしめることにより、第２補強部材１８を可動部本体１１の内側に容易に固定することができ、可動部本体１１の強度を大きく補強することができる。
【００３３】
上述の如く、可動部本体１１に固定される第２補強部材１８は、その背面側縁部に、横断面をコ字状とした第３断面コ字状部１８ｂが形成されており、可動部材１０を閉鎖したとき、固定部材１の第１補強部材８の第２断面コ字状部８ｂの背面側に、図１５に示す如く、第３断面コ字状部１８ｂが進入し、バールなどによる前扉２１の不正なこじ開けを阻止することができる。なお、第２断面コ字状部８ｂの背面側とは、図１５に示すように、固定部材１を筐体２０に取り付けたとき、正面から見て背面側を意味する。
【００３４】
可動部材１０の上部の軸受部材１３には、図１０に示す如く、軸受孔１４の切欠き開口部を閉じるために、上突出板部１２上に回動部材１５が回動軸１５ａを軸にして回動可能に軸支される。回動部材１５は、軸受孔１４の切欠き開口部を閉鎖する円弧部を有するとともに、その円弧部に続いて上ピン３を案内するためのピン案内部１５ｃを凹部状に設けて形成される。
【００３５】
また、可動部材１０を外す際、手動操作により容易に回動できるように、回動部材１５の端部にはレバー操作部１５ｄが設けられ、このレバー操作部１５ｄと軸受部材１３の端部間に、ばね部材１５ｂがかけられている。回動部材１５はこのばね部材１５ｂにより軸受孔１４の切欠開口部を閉じる方向に付勢され、上ピン３は、このばね部材１５ｂの付勢力に抗して回動部材１５を回動させながら、ピン案内部１５ｃに沿って、軸受部材１３の軸受孔１４内に進入するようになっている。
【００３６】
第２補強部材１８の補強部材本体１８ａは、帯状の鋼板を断面略Ｌ字状に曲折してアングル材状に形成され、その背面側縁部に第３断面コ字状部１８ｂを形成している。この第３断面コ字状部１８ｂは、可動部材１０が閉鎖されたとき、固定部材１の第１補強部材８の第２断面コ字状部８ｂの背面側に進入し、バールなどで不正に前扉をこじ開けようとしたとき、第１補強部材８の第２断面コ字状部８ｂと第３断面コ字状部１８ｂが係合してこじ開けを阻止する構造となっている。
【００３７】
上記構成の蝶番の固定部材１は、その固定取付板４に設けた取付孔と固定ねじを使用して、図１５、図１６に示すように、ゲーム機の筐体２０の内側の左側面に、その上突出支持部２と下突出支持部６を前方に出して固定される。
【００３８】
一方、蝶番の可動部材１０は、ゲーム機の前扉２１の内側の左側面に、その可動部本体１１とそこに穿設した取付孔及び固定ねじを用いて、その上突出板部１２と下突出板部１６を前扉２１の内側に入れた状態で、縦に固定される。
【００３９】
脱着式の本蝶番を介して筐体２０に前扉２１を開閉可能に組み付ける場合、先ず、前扉２１を持ち筐体２０に対し約４５°〜約９０°開いた状態で、図１１のように、可動部材１０の下突出板部１６の下軸受孔１７を、筐体２０側の固定部材１の下突出支持部６の下ピン７に嵌め込む。下軸受孔１７は鋼板に穿設した孔であり、ピンと孔の嵌め合いには多少の間隙があるため、前扉２１は多少傾動可能である。
【００４０】
次に、その下突出支持部６の下ピン７を支点にして前扉２１を少し傾けながら、可動部材１０の上突出板部１２の軸受部材１３を、図１０のように、その固定部材１の上突出支持部２の上ピン３の近傍に近づけ、その上ピン３を上突出板部１２上の進入路に進入させ、回動部材１５のピン案内部１５ｃを上ピン３で押すように動かす。
【００４１】
これにより、上ピン３は、回動部材１５をばね部材１５ｂの付勢力に抗して回動させて、軸受孔１４を開くと共に、回動部材１５の回動によって開口した軸受孔１４内に滑るように進入する。そして、上ピン３が軸受孔１４内に嵌入した後、回動部材１５がばね部材１５ｂの付勢力で元の位置に戻り、軸受孔１４の切欠き開口部が閉鎖され、上ピン３は軸受部材１３の軸受孔１４に嵌合し、可動部材１０は固定部材１に対し回動可能に正常位置に支持される状態となる。
【００４２】
上述の如く、可動部材１０の下軸受孔１７を固定部材１側の下ピン７に嵌め、次に、下ピン７を支点にして前扉２１を少し水平方向に傾けながら、上突出板部１２上の軸受部材１３を、固定部材１の上ピン３に近づけ、上ピン３によって回動部材１５を回動させながら、軸受部材１３の軸受孔１４に上ピン３を滑り込ませるように嵌合させるため、上部蝶番と下部蝶番のピンと軸受部の嵌合を、前枠を持ちながら同時に行なう必要がなく、重量のある前扉２１を非常に簡単に、筐体２０に対し蝶番を介して取り付けることができる。
【００４３】
この状態で、蝶番の可動部材１０つまり前扉２１は、蝶番の固定部材１つまり筐体２０に対し、上ピン３と下ピン７を軸に開閉回動することができるが、その回動範囲は、図１５の閉鎖状態から図１６の開放状態までであり、開放時には、上突出板部１２のストッパ１２ａが固定部材１の上突出支持部２の内側に当接し、最大開放角度となる。
【００４４】
蝶番を介して開閉可能に取り付けられた前扉２１は、図１５に示すように、その閉鎖位置では、固定取付板４の第１断面コ字状部５内に可動部本体１１の断面Ｌ形部１１ａが嵌入し、且つ第１補強部材８の第２断面コ字状部８ｂの背面位置に、第２補強部材１８の第３断面コ字状部１８ｂが進入した状態で、閉鎖される。
【００４５】
このため、前扉２１を筐体２０に対し閉鎖したとき、図１５に示す如く、固定取付板４の第１断面コ字状部５内に可動部本体１１の断面Ｌ形部１１ａが嵌入することに加え、固定部材１に固定した第１補強部材８の第２断面コ字状部８ｂの背面位置に、可動部材１０に固定した第２補強部材１８の第３断面コ字状部１８ｂが進入し、さらに、第１補強部材８が固定部材１を補強し第２補強部材１８が可動部材１０を補強しているので、筐体２０と前扉２１間の蝶番側の隙間をバール等な不正器具でこじ開けようとしても、蝶番の固定部材１と可動部材１０間を強固に嵌合保持して、隙間を開くことができず、バールなどによる不正行為や不正解錠を防止することができる。
【００４６】
また、ゲーム機の筐体２０と前扉２１の構造上、前扉２１は筐体２０の天板の縁部を含めてその前面全体を覆う形状に形成されるため、前扉２１の上端部は、筐体２０の内側に取り付けられる蝶番の上突出支持部２及び上突出板部１２より上方に位置し、この前扉２１の上端部と筐体２０の上部との間に、隙間が生じる可能性がある。しかし、可動部材１０を閉鎖した状態で、固定取付板４の上突出コ字状部５ａ内に可動部本体１１の上突出Ｌ形部１１ｂが嵌入する構造となっているので、筐体２０と前扉２１の上部の隙間についても、強固に嵌合状態を保持し、バールなどによる不正行為を防止することができる。
【符号の説明】
【００４７】
１      固定部材
２      上突出支持部
３      上ピン
４      固定取付板
５      第１断面コ字状部
５ａ    上突出コ字状部
６      下突出支持部
７      下ピン
７ａ    スペーサ
８      第１補強部材
８ａ    補強部材本体
８ｂ    第２断面コ字状部
１０    可動部材
１１    可動部本体
１１ａ  断面Ｌ形部
１１ｂ  上突出Ｌ形部
１２    上突出板部
１２ａ  ストッパ
１３    軸受部材
１４    軸受孔
１５    回動部材
１５ａ  回動軸
１５ｂ  部材
１５ｃ  ピン案内部
１５ｄ  レバー操作部
１６    下突出板部
１７    下軸受孔
１８    第２補強部材
１８ａ  補強部材本体
１８ｂ  第３断面コ字状部
２０    筐体
２１    前扉
【図１】
2014113244.tif 000003
【図２】
2014113244.tif 000004
【図３】
2014113244.tif 000005
【図４】
2014113244.tif 000006
【図５】
2014113244.tif 000007
【図６】
2014113244.tif 000008
【図７】
2014113244.tif 000009
【図８】
2014113244.tif 000010
【図９】
2014113244.tif 000011
【図１０】
2014113244.tif 000012
【図１１】
2014113244.tif 000013
【図１２】
2014113244.tif 000014
【図１３】
2014113244.tif 000015
【図１４】
2014113244.tif 000016
【図１５】
2014113244.tif 000017
【図１６】
2014113244.tif 000018